(57)【要約】【課題】ランダム再生されたコンテンツの再生順序を簡易に再現すること。【解決手段】コンテンツ決定装置１００は、コンテンツ再生装置１１０で再生するコンテンツを決定する。抽出部１０１は、記録媒体１２０に記録された複数のコンテンツからランダムにコンテンツを抽出する。入力部１０２は、抽出部１０１による抽出結果に沿ってコンテンツが再生された際、再生履歴から複数の再生済みコンテンツの指定を受け付ける。生成部１０３は、指定された再生済みコンテンツに基づいてコンテンツリストを生成する。【選択図】図１
2011054224.tif 000002
【特許請求の範囲】
【請求項１】
コンテンツ再生装置で再生するコンテンツを決定するコンテンツ決定装置であって、
複数の前記コンテンツからランダムに前記コンテンツを抽出する抽出手段と、
前記抽出手段による抽出結果に沿って前記コンテンツが再生された際、再生履歴から連続する複数の再生済みコンテンツの指定を受け付ける入力手段と、
指定された前記再生済みコンテンツに基づいてコンテンツリストを生成する生成手段と、
を備えることを特徴とするコンテンツ決定装置。
【請求項２】
前記入力手段は、前記再生履歴から連続する前記再生済みコンテンツの所定の範囲の指定を受け付け、
前記生成手段は、前記所定の範囲の再生履歴に基づく前記コンテンツリストを生成することを特徴とする請求項１に記載のコンテンツ決定装置。
【請求項３】
前記入力手段は、前記コンテンツの再生中に、前記再生履歴の中から前記再生済みコンテンツのうち１つの指定を受け付け、
前記生成手段は、指定された前記再生済みコンテンツから再生中の前記コンテンツまでを前記所定の範囲として前記コンテンツリストを生成することを特徴とする請求項２に記載のコンテンツ決定装置。
【請求項４】
前記入力手段は、前記コンテンツリストの編集を指示する指示入力をさらに受け付け、
前記生成手段は、編集後の前記コンテンツリストを生成することを特徴とする請求項２または３に記載のコンテンツ決定装置。
【請求項５】
前記抽出手段は、前記コンテンツ再生装置で再生可能な複数のコンテンツデータが記録された記録媒体から前記コンテンツを抽出することを特徴とする請求項１〜４のいずれか一つに記載のコンテンツ決定装置。
【請求項６】
前記抽出手段は、前記記録媒体に記録された前記コンテンツのうち、所定の属性を有する前記コンテンツから前記コンテンツを抽出することを特徴とする請求項５に記載のコンテンツ決定装置。
【請求項７】
コンテンツ再生装置で再生するコンテンツを決定するコンテンツ決定装置におけるコンテンツ決定方法であって、
複数の前記コンテンツからランダムに前記コンテンツを抽出する抽出工程と、
前記抽出工程における抽出結果に沿って前記コンテンツが再生された際、再生履歴から連続する複数の再生済みコンテンツの指定を受け付ける入力工程と、
指定された前記再生済みコンテンツに基づいてコンテンツリストを生成する生成工程と、
を含んだことを特徴とするコンテンツ決定方法。
【請求項８】
請求項７に記載のコンテンツ決定方法をコンピュータに実行させることを特徴とするコンテンツ決定プログラム。
【請求項９】
請求項８に記載のコンテンツ決定プログラムを記録したことを特徴とするコンピュータに読み取り可能な記録媒体。
【発明の詳細な説明】
【技術分野】
【０００１】
この発明は、コンテンツ再生装置で再生するコンテンツを決定するコンテンツ決定装置、コンテンツ決定方法、コンテンツ決定プログラムおよび記録媒体に関する。ただし、本発明の利用は、上述したコンテンツ決定装置、コンテンツ決定方法、コンテンツ決定プログラムおよび記録媒体に限られない。
【背景技術】
【０００２】
従来、楽曲などのコンテンツを再生するコンテンツ再生装置では、ユーザから指定されたコンテンツを再生する他、様々な方法で再生コンテンツを決定している。特に、近年コンテンツ再生装置で用いられる記録媒体の大容量化が進み、再生可能なコンテンツの内容をユーザ自身によっても把握しきれない場合も多い。このような中で、たとえば、数多くのコンテンツの中から所定数のコンテンツを自動選択してプレイリストを生成したり、コンテンツをランダムに再生する技術が知られている（たとえば、下記特許文献１参照）。
【先行技術文献】
【特許文献】
【０００３】
【特許文献１】特開２００１−４３６６６号公報
【発明の概要】
【発明が解決しようとする課題】
【０００４】
しかしながら、上記の従来技術では、ランダム再生されたコンテンツの再生順序を再現するのが困難であるという問題点が一例として挙げられる。ランダム再生の利点として、再生されるコンテンツの組み合わせに意外性がある、という点が挙げられる。ユーザ自身によって選択されるコンテンツはユーザの好みに偏りがちであるが、ランダム再生による意図しない組み合わせによってコンテンツの魅力を再発見する場合も多く、もう一度同じ順序で視聴したい、と考えるユーザも多いと考えられる。上述した従来技術において、ランダム再生されたコンテンツの再生順序を再現するには、ユーザがコンテンツ名称および再生順序をすべて覚えておき、１つ１つ選択してリスト化する必要がある。しかし、膨大な数のコンテンツの中から特定のコンテンツを指定する作業は非常に煩雑である。
【課題を解決するための手段】
【０００５】
上述した課題を解決し、目的を達成するため、請求項１の発明にかかるコンテンツ決定装置は、コンテンツ再生装置で再生するコンテンツを決定するコンテンツ決定装置であって、複数の前記コンテンツからランダムに前記コンテンツを抽出する抽出手段と、前記抽出手段による抽出結果に沿って前記コンテンツが再生された際、再生履歴から連続する複数の再生済みコンテンツの指定を受け付ける入力手段と、指定された前記再生済みコンテンツに基づいてコンテンツリストを生成する生成手段と、を備えることを特徴とする。
【０００６】
また、請求項７の発明にかかるコンテンツ決定方法は、コンテンツ再生装置で再生するコンテンツを決定するコンテンツ決定装置におけるコンテンツ決定方法であって、複数の前記コンテンツからランダムに前記コンテンツを抽出する抽出工程と、前記抽出工程における抽出結果に沿って前記コンテンツが再生された際、再生履歴から連続する複数の再生済みコンテンツの指定を受け付ける入力工程と、指定された前記再生済みコンテンツに基づいてコンテンツリストを生成する生成工程と、を含んだことを特徴とする。
【０００７】
また、請求項８の発明にかかるコンテンツ決定プログラムは、請求項７に記載のコンテンツ決定方法をコンピュータに実行させることを特徴とする。
【０００８】
また、請求項９の発明にかかる記録媒体は、請求項８に記載のコンテンツ決定プログラムをコンピュータに読み取り可能な状態で記録したことを特徴とする。
【図面の簡単な説明】
【０００９】
【図１】実施の形態にかかるコンテンツ決定装置の機能的構成を示すブロック図である。
【図２】コンテンツ決定装置によるコンテンツ決定処理の手順を示すフローチャートである。
【図３】コンテンツ再生装置のハードウェア構成を示すブロック図である。
【図４】コンテンツ再生装置によるコンテンツ再生処理の手順を示すフローチャートである。
【図５】プレイリスト作成時の画面表示の一例を示す説明図である。
【図６】プレイリスト作成時の画面表示の一例を示す説明図である。
【図７】プレイリスト作成時の画面表示の一例を示す説明図である。
【発明を実施するための形態】
【００１０】
以下に添付図面を参照して、この発明にかかるコンテンツを決定するコンテンツ決定装置、コンテンツ決定方法、コンテンツ決定プログラムおよび記録媒体の好適な実施の形態を詳細に説明する。
【００１１】
（実施の形態）
図１は、実施の形態にかかるコンテンツ決定装置の機能的構成を示すブロック図である。コンテンツ決定装置１００は、抽出部１０１、入力部１０２、生成部１０３によって構成され、コンテンツ再生装置１１０で再生するコンテンツを決定する。なお、コンテンツ決定装置１００とコンテンツ再生装置１１０とは、１つの装置として構成されていてもよい。
【００１２】
抽出部１０１は、複数のコンテンツからランダムにコンテンツを抽出する。抽出部１０１は、たとえばコンテンツ再生装置１１０で再生可能な複数のコンテンツデータが記録された記録媒体１２０から再生コンテンツを抽出する。記録媒体１２０は、たとえばコンテンツ再生装置１１０に内蔵されていてもよいし、コンテンツ再生装置１１０に対して着脱可能な記録媒体であってもよい。また、記録媒体１２０は、コンテンツ再生装置１１０とネットワークで接続されたコンテンツサーバなどであってもよい。
【００１３】
抽出部１０１は、記録媒体１２０に記録されたコンテンツのうち、所定の属性を有するコンテンツから再生コンテンツを抽出するようにしてもよい。コンテンツの属性とは、たとえば、コンテンツを実演するアーティストやコンテンツのジャンル、コンテンツが収録されているアルバム、コンテンツが発表された年代、記録媒体に記録された日時などである。また、たとえば、コンテンツの再生回数やユーザによる採点結果（お気に入り度など）など、ユーザの嗜好との適合度合いを属性としてもよい。
【００１４】
入力部１０２は、抽出部１０１による抽出結果に沿ってコンテンツが再生された際、再生されたコンテンツの履歴（再生履歴）から連続する複数の再生済みのコンテンツ（以下、再生済みコンテンツという）の指定を受け付ける。入力部１０２は、たとえば、再生履歴から連続する再生済みコンテンツの所定の範囲の指定を受け付ける。より詳細には、コンテンツの再生中に、再生履歴の中から再生済みコンテンツのうち１つの指定を受け付ける。これにより、当該指定されたコンテンツから現在再生中のコンテンツまでが指定されたこととなる。
【００１５】
生成部１０３は、指定された再生済みコンテンツに基づいてコンテンツリストを生成する。コンテンツリストとは、複数のコンテンツに順番を付加してリスト化したものである。生成部１０３は、指定された再生済みコンテンツによって構成されるコンテンツリストを生成する。生成部１０３で生成されたコンテンツリストは、たとえばコンテンツ再生装置１１０によるコンテンツの再生順序を規定するのに用いられる。
【００１６】
生成部１０３は、入力部１０２によって所定の範囲が指定された場合、当該所定の範囲の再生履歴に基づくコンテンツリストを生成する。より詳細には、コンテンツの再生中に、再生履歴の中から再生済みコンテンツのうち１つのコンテンツが指定された場合、生成部１０３は、指定されたコンテンツから再生中のコンテンツまでを所定の範囲としてコンテンツリストを生成する。
【００１７】
また、入力部１０２は、コンテンツリストの編集を指示する指示入力をさらに受け付けるようにしてもよい。コンテンツリストの編集とは、たとえば再生履歴に含まれるコンテンツの一部を削除したり、他のコンテンツを追加したり、コンテンツの順番を入れ替えるなどの操作である。この場合、生成部１０３は、編集後のコンテンツリストを生成する。
【００１８】
つぎに、コンテンツ決定装置１００によるコンテンツ決定処理について説明する。図２は、コンテンツ決定装置によるコンテンツ決定処理の手順を示すフローチャートである。図２のフローチャートにおいて、コンテンツ決定装置１００は、まず、抽出部１０１によって記録媒体１２０内のコンテンツ群からランダムにコンテンツを抽出する（ステップＳ２０１）。つぎに、コンテンツ決定装置１００は、抽出したコンテンツのデータをコンテンツ再生装置１１０に出力する（ステップＳ２０２）。コンテンツ再生装置１１０は、コンテンツ決定装置１００から出力されてきたコンテンツのデータを再生する。
【００１９】
コンテンツ決定装置１００は、入力部１０２を介して再生履歴から連続する複数の再生済みコンテンツが指定されるまでは（ステップＳ２０３：Ｎｏ）、ステップＳ２０１に戻り、コンテンツの抽出および出力を繰り返す。そして、再生済みコンテンツが指定されると（ステップＳ２０３：Ｙｅｓ）、生成部１０３によって再生済みコンテンツに基づくプレイリストを生成して（ステップＳ２０４）、本フローチャートによる処理を終了する。
【００２０】
以上説明したように、コンテンツ決定装置１００は、ランダム再生したコンテンツの再生履歴に基づいてコンテンツリストを生成する。すなわち、コンテンツ決定装置１００は、ランダム再生されたコンテンツの再生順序をコンテンツリストとして保存することができる。これにより、ランダム再生されたコンテンツの再生順序がユーザの嗜好に適合していた場合などに、煩雑な作業をおこなうことなく当該再生順序を再現することができる。
【００２１】
また、コンテンツ決定装置１００は、再生履歴のうち指定された一部を用いてコンテンツリストを生成することができる。このため、ユーザの嗜好により適合したコンテンツによって構成されるコンテンツリストを生成することができる。また、コンテンツ決定装置１００は、所定の属性を有するコンテンツから再生するコンテンツを抽出する。このため、ユーザの嗜好により適合したコンテンツの中から再生するコンテンツを抽出することができる。
【実施例】
【００２２】
以下に、本発明の実施例について説明する。本実施例では、携帯型のコンテンツ再生装置３００をコンテンツ決定装置１００として本発明を適用した場合の一例について説明する。本実施例では、コンテンツ再生装置１１０および記録媒体１２０についても、コンテンツ決定装置１００と一体として構成されるものとする。また、本実施例では、コンテンツデータは楽曲データであるものとして説明する。
【００２３】
（コンテンツ再生装置３００のハードウェア構成）
図３は、コンテンツ再生装置のハードウェア構成を示すブロック図である。実施例にかかるコンテンツ再生装置３００は、ＣＰＵ３０１、ＲＯＭ３０２、ＲＡＭ３０３、各種データを記録／再生する記録再生部３０４、各種データを記録する記録部３０５、音声Ｉ／Ｆ（インターフェース）３０６、スピーカ３０７、入力デバイス３０８、映像Ｉ／Ｆ３０９、ディスプレイ３１０、通信Ｉ／Ｆ３１１を備えている。各構成部３０１〜３１１は、バス３２０によってそれぞれ接続されている。
【００２４】
ＣＰＵ３０１は、コンテンツ再生装置３００の全体の制御を司る。ＲＯＭ３０２は、ブートプログラム、コンテンツ再生プログラムなどのプログラムを記録している。ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、コンテンツ再生装置３００の全体の制御を司る。
【００２５】
記録再生部３０４は、ＣＰＵ３０１の制御に従って記録部３０５に対するデータの読み取り／書き込みを制御する。記録部３０５は、記録再生部３０４の制御で書き込まれたデータを記録する。記録再生部３０４としては、たとえば、磁気ディスクドライブや光ディスクドライブ、記録部３０５としては、たとえば、ＨＤ（ハードディスク）、ＦＤ（フレキシブルディスク）、フラッシュメモリ、ＭＯ、ＳＳＤ（Ｓｏｌｉｄ  Ｓｔａｔｅ  Ｄｉｓｋ）、メモリカードなどを用いることができる。
【００２６】
記録部３０５に記録される情報の一例として、コンテンツデータが挙げられる。コンテンツデータは、たとえば楽曲データや静止画像データ、動画像データなどである。本実施例では、コンテンツデータを楽曲データとする。コンテンツ再生装置３００は、ユーザの操作に従って記録部３０５に記録されたコンテンツデータを再生する。コンテンツデータには、コンテンツそのものを構成するメインデータの他、コンテンツのタイトル名や演奏者名、グループ名などの付随情報が含まれている。グループとは、所定の属性を有する複数のコンテンツを関連づけたものである。グループの一例として、楽曲が収録されているアルバム名が挙げられる。また、ユーザによって任意にグループを定義できるようにしてもよい。
【００２７】
音声Ｉ／Ｆ３０６は、音声出力用のスピーカ３０７に接続される。音声Ｉ／Ｆ３０６は、再生が指示されたコンテンツデータの音声データをＤ／Ａ変換して、スピーカ３０７から音声として出力させる。なお、スピーカ３０７は、コンテンツ再生装置３００から着脱可能であってもよいし、コンテンツ再生装置３００の本体から離れた場所にあってもよい。
【００２８】
入力デバイス３０８は、文字、数値、各種指示などの入力のための複数のキーを備えたリモコン、キーボード、タッチパネルなどによって構成される。入力デバイス３０８は、リモコン、キーボード、タッチパネルのうちいずれか１つの形態によって実現されてもよいし、複数の形態によって実現することも可能である。
【００２９】
映像Ｉ／Ｆ３０９は、ディスプレイ３１０に接続される。映像Ｉ／Ｆ３０９は、具体的には、たとえば、ディスプレイ３１０全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１０を制御する制御ＩＣなどによって構成される。ディスプレイ３１０には、アイコン、カーソル、メニュー、ウインドウ、あるいは文字や画像などの各種データが表示される。
【００３０】
通信Ｉ／Ｆ３１１は、無線を介してネットワークに接続され、ネットワークを介したデータの送受信を可能とする。通信Ｉ／Ｆ３１１を用いることにより、コンテンツ再生装置３００は、ネットワークを介してコンテンツデータを取得することも可能となる。
【００３１】
図１に示したコンテンツ決定装置１００の各構成部は、図３におけるＲＯＭ３０２、ＲＡＭ３０３、記録部３０５などに記録されたプログラムやデータを用いて、ＣＰＵ３０１が所定のプログラムを実行し、各部を制御することによってその機能を実現する。すなわち、本実施例では、コンテンツ決定装置１００は、コンテンツ再生装置３００の一部として構成されている。
【００３２】
（再生履歴に基づくプレイリスト生成処理の概要）
つぎに、コンテンツ再生装置３００による再生履歴に基づくプレイリスト生成処理について説明する。コンテンツ再生装置３００は、楽曲などのコンテンツを再生するコンテンツ再生機能を備えている。コンテンツの再生には、ユーザに指定されたコンテンツを指定された順番で再生する他、ランダムに抽出したコンテンツを再生するランダム再生、あらかじめ生成されたリストに沿ってコンテンツを再生するプレイリスト再生など各種の方法がある。
【００３３】
このうち、ランダム再生では、ユーザの意図によらずコンテンツが抽出されるため、再生されるコンテンツの組み合わせに意外性がある。ランダム再生による意図しない組み合わせによってコンテンツの魅力を再発見する場合も多く、もう一度同じ順序で視聴したい、と考えるユーザも多いと考えられる。そこで、コンテンツ再生装置３００では、ユーザからの指示があった場合、ランダム再生されたコンテンツの再生順序を保存して、プレイリストを生成する。これにより、ランダム再生されたコンテンツの再生順序を、煩雑な作業をおこなうことなく再現することができる。
【００３４】
なお、本実施例において、ランダム再生とは、所定の条件に合致するコンテンツを自動的に抽出して再生するトリックプレイを含めるものとする。トリックプレイでは、たとえば以下のような条件を設定してコンテンツを抽出する。
１．再生ファイルの範囲
コンテンツのジャンル、コンテンツを実演するアーティスト、コンテンツが収録されたアルバム、コンテンツ（主に楽曲）のテンポ、コンテンツが発表された年代、コンテンツが関連する季節、マイリストやマイアーティストなど「お気に入り」として登録されたコンテンツ、コンテンツの再生回数、コンテンツに対するユーザの採点結果（お気に入り度など）、などを設定する。
２．コンテンツ数
今回再生するコンテンツの数を設定する。５曲、１０曲など任意の値を指定してもよいし、５曲〜１０曲など範囲を指定してもよい。また、コンテンツ数ではなくコンテンツを再生する時間を指定してもよい。
３．再生方法
ランダム再生や１で指定した範囲中で○曲ずつ、などを設定する。また、一連の再生における始めのコンテンツおよび最後のコンテンツを指定できるようにしてもよい。
【００３５】
図４は、コンテンツ再生装置によるコンテンツ再生処理の手順を示すフローチャートである。図４のフローチャートにおいて、コンテンツ再生装置３００は、ユーザから楽曲の再生が指示されるまで待機する（ステップＳ４０１：Ｎｏのループ）。楽曲の再生が指示されると（ステップＳ４０１：Ｙｅｓ）、コンテンツ再生装置３００は、再生方法がランダム再生であるか否かを判断する（ステップＳ４０２）。
【００３６】
ランダム再生でない場合（ステップＳ４０２：Ｎｏ）、コンテンツ再生装置３００は、指定された方法で楽曲を再生し（ステップＳ４０３）、本フローチャートによる処理を終了する。
【００３７】
一方、ランダム再生の場合（ステップＳ４０２：Ｙｅｓ）、コンテンツ再生装置３００は、ランダム再生時の条件をユーザに設定させる（ステップＳ４０４）。ランダム再生時の条件とは、たとえば上記のトリックプレイで説明した各種の条件である。必要がない場合は、ステップＳ４０４の処理はおこなわなくてもよい。つづいて、コンテンツ再生装置３００は、記録部３０５に記録された楽曲データからランダムに楽曲を抽出する（ステップＳ４０５）。ステップＳ４０４で条件が設定された場合は、当該条件に適合する楽曲内からランダムに楽曲を抽出する。なお、楽曲の抽出は、あらかじめ所定数分おこなっておいてもよいし、１曲ずつおこなってもよい。
【００３８】
つづいて、コンテンツ再生装置３００は、ステップＳ４０５で抽出した楽曲を再生し（ステップＳ４０６）、楽曲の再生履歴を一時保存する（ステップＳ４０７）。再生履歴は、たとえばＲＡＭ３０３や記録部３０５などに一時的に保存される。ユーザは、ランダム再生された楽曲の再生順序が気に入った場合は、再生履歴の保存を指示する。
【００３９】
再生履歴の保存指示があると（ステップＳ４０８：Ｙｅｓ）、コンテンツ再生装置３００は、ユーザに対して保存する再生履歴の範囲を指定させる（ステップＳ４０９）。再生履歴の範囲を指定する、とは、すなわち、再生履歴の中から連続する複数の再生済みコンテンツを指定する、ということである。再生履歴の範囲の指定は、たとえば、ランダム再生を開始してから現在までに再生した楽曲のタイトルを表示して、始点の楽曲および終点の楽曲を指定させることによっておこなう。このとき、始点の楽曲のみを指定させて、終点は現在再生している楽曲としてもよい。また、再生履歴から不要な楽曲を削除したり、再生履歴にない楽曲を挿入できるようにしたり、再生履歴中の楽曲の一部の順番を入れ替えたりできるようにしてもよい。
【００４０】
再生履歴の範囲が指定されると、コンテンツ再生装置３００は、指定された範囲の楽曲をプレイリストとして保存して（ステップＳ４１０）、本フローチャートによる処理を終了する。ステップＳ４１０で保存されたプレイリストは、次回以降の楽曲再生時に、再生する楽曲およびその順番を規定するプレイリストとして用いることができる。また、保存後のプレイリストに対して編集処理（楽曲の追加や削除、順番の入れ替えなど）をおこなえるようにしてもよい。
【００４１】
また、ステップＳ４０８で再生履歴の保存指示がない場合（ステップＳ４０８：Ｎｏ）、コンテンツ再生装置３００は、楽曲の再生終了が指示されるまで（ステップＳ４１１：Ｎｏ）、ステップＳ４０５に戻り、楽曲の抽出および再生を繰り返す。そして、楽曲の再生終了が指示されると（ステップＳ４１１：Ｙｅｓ）、楽曲の再生を終了し（ステップＳ４１２）、本フローチャートによる処理を終了する。
【００４２】
図５〜７は、プレイリスト作成時の画面表示の一例を示す説明図である。ランダム再生が指示されると、図５に示すように、ランダム再生中である旨および現在再生中の楽曲名表示５１０が表示画面５００に表示される。また、表示画面５００には、ランダム再生の再生履歴をプレイリストとして保存するためのリスト保存ボタン５２０が表示される。リスト保存ボタン５２０を押下すると、図６に示すように、保存用メニュー６１０〜６４０が表示される。
【００４３】
たとえば、メニュー６１０を選択すると、再生履歴を新規のプレイリストとして保存する。メニュー６２０を選択すると、既に保存されているプレイリスト内に今回の再生履歴内の曲によって構成されるプレイリストを加える。メニュー６３０を選択すると、再生履歴に含まれる任意の楽曲のみを用いて新規のプレイリストを作成する。メニュー６４０を選択すると、再生履歴に含まれる任意の楽曲を既存のプレイリストに追加する。
【００４４】
たとえば、メニュー６１０を選択すると、再生履歴の一覧が表示され、プレイリストの始点および終点や、プレイリストの名称などを指定させる画面などが表示される。これらの項目を選択すると、指定された範囲の再生履歴に含まれる楽曲によって構成される新規のプレイリストが作成、保存され、図７に示すように、プレイリストを生成した旨のメッセージ表示７００が表示される。
【００４５】
以上説明したように、コンテンツ再生装置３００は、ランダム再生したコンテンツの再生履歴に基づいてコンテンツリストを生成する。すなわち、コンテンツ再生装置３００は、ランダム再生されたコンテンツの再生順序をコンテンツリストとして保存することができる。これにより、ランダム再生されたコンテンツの再生順序がユーザの嗜好に適合していた場合などに、煩雑な作業をおこなうことなく当該再生順序を再現することができる。
【００４６】
また、コンテンツ再生装置３００は、再生履歴のうち指定された一部を用いてコンテンツリストを生成することができる。このため、ユーザの嗜好により適合したコンテンツによって構成されるコンテンツリストを生成することができる。また、コンテンツ再生装置３００は、所定の属性を有するコンテンツから再生するコンテンツを抽出することができる。このため、ユーザの嗜好により適合したコンテンツの中から再生するコンテンツを抽出することができる。
【００４７】
なお、本実施の形態で説明したコンテンツ決定方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００４８】
１００  コンテンツ決定装置
１０１  抽出部
１０２  入力部
１０３  生成部
１１０  コンテンツ再生装置
１２０  記録媒体
【図１】
2011054224.tif 000003
【図２】
2011054224.tif 000004
【図３】
2011054224.tif 000005
【図４】
2011054224.tif 000006
【図５】
2011054224.tif 000007
【図６】
2011054224.tif 000008
【図７】
2011054224.tif 000009